(57)【特許請求の範囲】
【請求項１】
収納庫内に設け前面が開口し家庭電気製品を収納する収納部と、前記収納部の天面に取り付けた蒸気処理部とを備え、前記蒸気処理部は、下面に蒸気吸引部を設けるとともに内部に吸引ファンと内部流路とを設け、前面に前記内部流路と連接した排気口を設け、前記排気口に風向調整用の可動式ルーバーを設け、前記排気口の開口部は、仕切りリブを有さない一つの空間により構成し、前記内部流路は、前記排気口付近で上下方向にクランク状に屈曲し、前記排気口から排出する蒸気を斜め下方に排出するよう構成するとともに、正面から前記排気口の前記開口部を臨んだときでも前記内部流路が見えない構成を有した家庭電気製品収納庫。
【発明の詳細な説明】
【技術分野】
【０００１】
本発明は、蒸気処理機能を有する家庭電気製品収納庫に関するものである。
【背景技術】
【０００２】
近年、キッチン周辺の家庭電気製品をすっきりと収納し、空間を有効に活用したいという要望が高まっている。このような要望に応えるため、従来、この種の家庭電気製品収納庫は、蒸気を発生する機器であっても収納したまま使用できるように、家庭電気製品を収納する収納部の上方にファンを備えた蒸気処理部を設け、収納部内部で発生した蒸気をファンにより周囲の常温・常湿の外気と混合し、蒸気温度を下げて排気口より収納部外へ排出させる蒸気処理機能を備えたものが提案されている（例えば、特許文献１参照）。
【特許文献１】特開平５−１５４０４２号公報
【発明の開示】
【発明が解決しようとする課題】
【０００３】
しかしながら、このような従来の家庭電気製品収納庫では、例えば、排気口近傍にガスコンロが設置されている場合には、ガスコンロの火に対して蒸気排出時の送風が影響を与えるような場合も考えられる。しかし、キッチンの配置を容易に変えることはできず、排気口の位置は固定であり、ガスコンロに風が当たらないような対策は困難であった。
【０００４】
また、排気口には多くのリブを設けており、リブとリブの間に付着した汚れを掃除するような場合には、手入れ性が良いとはいえなかった。
【０００５】
本発明は上記従来の課題を解決するもので、蒸気処理部の排気口から排出される蒸気を斜め下方に排出できるようにして、排気口近傍にガスコンロが設置されている場合でも、ガスココンロに直接風が当たらないようにし、ガスコンロの火に影響がないようにすることを目的としている。
【課題を解決するための手段】
【０００６】
本発明は蒸気目的を達成するために、収納庫内に前面が開口し家庭電気製品を収納する収納部を設け、この収納部の天面に蒸気処理部を取り付け、この蒸気処理部は、下面に蒸気吸引部を設けるとともに内部に吸引ファンと内部流路とを設け、前面に内部流路と連接した排気口を設け、排気口に風向調整用の可動式ルーバーを設け、排気口の開口部は、仕切りリブを有さない一つの空間により構成し、内部流路は、排気口付近で上下方向にクランク状に屈曲し、排気口から排出する蒸気を斜め下方に排出するよう構成するとともに、正面から前記排気口の前記開口部を臨んだときでも内部流路が見えない構成を有したものである。
【０００７】
これにより、蒸気処理部の排気口から排出される蒸気を斜め下方に排出することができて、排気口近傍にガスコンロが設置されている場合でも、ガスココンロに直接風が当たらないようにでき、ガスコンロの火に影響がないようにすることができる。
【発明の効果】
【０００８】
本発明の家庭電気製品収納庫は、蒸気処理部の排気口から排出される蒸気を斜め下方に排出することができて、排気口近傍にガスコンロが設置されている場合でも、ガスココンロに直接風が当たらないようにでき、ガスコンロの火に影響がないようにすることができる。
【発明を実施するための最良の形態】
【０００９】
第１の発明は、収納庫内に設け前面が開口し家庭電気製品を収納する収納部と、前記収
納部の天面に取り付けた蒸気処理部とを備え、前記蒸気処理部は、下面に蒸気吸引部を設けるとともに内部に吸引ファンと内部流路とを設け、前面に前記内部流路と連接した排気口を設け、前記排気口に風向調整用の可動式ルーバーを設け、前記排気口の開口部は、仕切りリブを有さない一つの空間により構成し、前記内部流路は、前記排気口付近で上下方向にクランク状に屈曲し、前記排気口から排出する蒸気を斜め下方に排出するよう構成するとともに、正面から前記排気口の前記開口部を臨んだときでも前記内部流路が見えない構成を有したものであり、蒸気処理部の排気口から排出される蒸気を斜め下方に排出することができて、排気口近傍にガスコンロが設置されている場合でも、ガスコンロに直接風が当たらないようにでき、ガスコンロの火に影響がないようにすることができる。また、収納庫の設置高さがガスコンロより高くなった場合においても、可動式ルーバーを調整することにより風向きを変えることができ、ガスコンロに直接風が当たらないようにすることができる。排気口の開口部は、仕切りリブを有さない一つの空間により構成したものであり、手入れの困難な格子状のリブを設けていないため、手入れ性を向上することができる。また、排気口からの排気方向を容易に斜め下方に矯正することができるとともに、内部構造物を隠すことができるため、外観品位を高めることができる。
【００１３】
以下、本発明の一実施の形態について、図面を参照しながら説明する。なお、この実施の形態によって本発明が限定されるものではない。
【００１４】
（実施の形態）
図１は本発明の家庭電気製品収納庫の断面図、図２は同家庭電気製品収納庫の要部拡大断面図、図３は家庭電気製品収納庫の要部拡大正面図を示すものである。
【００１５】
図１に示すように、収納庫１は、内部に前面が開口し、家庭電気製品９を収納する収納部１０を設けており、収納部１０には、炊飯器やジャーポット、コーヒーメーカーなど蒸気を発生する家庭電気製品９を収納するよう構成している。収納部１０の下面には、家庭電気製品９を載置するスライド台２を収納自在に設けており、必要に応じて収納部１０から家庭電気製品９を引き出して使用できるようにしている。
【００１６】
収納部１０の天面に、収納した家庭電気製品９から発生する蒸気を外部に排出する蒸気処理部３を設けており、収納部１０内に蒸気を発生する家庭電気製品９を収納した場合においても、家庭電気製品９を収納したまま使用できるようにしている。蒸気処理部３の下面に蒸気吸引部４を設け、蒸気処理部３の内部に、吸引ファン５を設けている。蒸気吸引部４の内側に蒸気を広い範囲で効率よく吸引するために、複数の穴が空いた整流板１７を設けており、収納部１０内で発生した蒸気を外気と混合し、整流板１７の穴および外周から吸引するよう構成している。
【００１７】
吸引ファン５より吐出された蒸気は、内部流路６を通って蒸気処理部３の前面に設けた排気口７から排出するよう構成している。一方、内部流路６および排気口７で構成される蒸気排出経路は、排気口７の出口付近で上下方向にクランク状に折れ曲がった流路を構成し、排気口７から排出する蒸気を斜め下方に排出するよう構成している。また、排気口７には、図２に示すように、可動式ルーバー８を設けており、この可動式ルーバー８を操作することにより、通常は下向きに排出される蒸気の排出方向を変更できるようにしている。
【００１８】
また、図３に示すように、排気口７の内部には可動式ルーバー８を設けているが、格子状のリブは設けておらず、排気エリアは一つの空間により構成している。また、クランク状に折れ曲がった流路構成により、蒸気処理部３を正面から臨んだ場合においても、可動式ルーバー８以外の内部流路は見えない構成となっている。
【００１９】
家庭電気製品９の電源プラグ１１−ａ、１１−ｂは収納部１０内に設けたコンセント１２−ａ、１２−ｂに接続し、蒸気処理部３内部では、各コンセント１２−ａ、１２−ｂに流れる電流を監視しており、ある一定条件以上の電流を検知すると、収納部１０内で家庭電気製品９が動作したものと判断し、自動的に吸引ファン５を動作させるように制御されている。
【００２０】
また、各コンセント１２−ａ、１２−ｂに流れる合計電流値がある一定値以上（例えば、１５Ａ）となることを検知すると、片側のコンセント１２−ｂを遮断し、１２−ａのみ家庭電気製品９の動作が継続するように制御している。これにより、例えば、コンセント１２−ａ側に差し込んである電源プラグ１１−ａを炊飯器の電源プラグにしておけば、炊飯を行っている途中に、コンセント１２−ｂ側でジャーポットの湯沸しを行おうとしても、通常であれば電源ブレーカーにより両電源とも遮断されるが、本実施の形態の仕様においては、湯沸しのみを停止することにより、炊飯を優先的に継続実行することが可能な仕様となっている。
【００２１】
扉１３は、収納部１０の前面開口部を覆うものであり、収納部１０内部でスライド台２の下方に、扉１３を収納する扉収納空間１４を設けている。扉収納空間１４の両側内壁にガイドレール１５を設けており、扉１３の下端付近に設けた回転軸１６を保持している。この構成により、扉１３は、下端を中心に回動および収納自在に支持されている。
【００２２】
上記構成において動作、作用を説明する。スライド台２上に炊飯器やジャーポット、コーヒーメーカーなど蒸気を発生する家庭電気製品９を載置し、スライド台２を収納することで家庭電気製品９を収納部１０内に収納し、家庭電気製品９の電源プラグ１１−ａ、１１−ｂは収納部１０内に設けたコンセント１２−ａ、１２−ｂに接続し、扉１３を閉めて運転を開始する。これにより、蒸気処理部３内部では、各コンセント１２−ａ、１２−ｂに流れる電流を監視し、収納部１０内で家庭電気製品９が動作したものと判断し、自動的に吸引ファン５を動作させる。
【００２３】
収納部１０内で家庭電気製品９より発生した蒸気は、蒸気吸引部４より整流板１７の穴および外周から吸引され、内部流路６を通って蒸気処理部３の前面に設けた排気口７から排出する。このとき、内部流路６および排気口７で構成される蒸気排出経路は、排気口７の出口付近で上下方向にクランク状に折れ曲がった流路を構成しているため、吸引ファン５により吐出された蒸気は、内部流路６を通って排気口７より外部に排出されるとき、下向きに排出されることとなる。
【００２４】
また、排気口７には可動式ルーバー８を設けており、この可動式ルーバー８を操作することにより、通常は、図２（ａ）に示すように、下向きに排出される蒸気の排出方向を、図２（ｂ）に示すように、変更することができ、キッチンの配置や使用実態において蒸気処理部３からの排気が気になる場合においては、排気方向を変更することができる。
【００２５】
また、排気口７内部には可動式ルーバー８が設けられているが、格子状のリブは設けられておらず、排気エリアは一つの空間により構成しているので、手入れのしやすい排気構成を実現することができる。
【００２６】
また、クランク状に折れ曲がった流路構成により、蒸気処理部３を正面から臨んだ場合においても、ルーバー８以外の内部流路は見えない構成となっているため、外観品位を高めることができる。
【００２７】
以上のように、本実施の形態においては、収納庫１内に前面が開口し家庭電気製品９を収納する収納部１０を設け、この収納部１０の天面に蒸気処理部３を取り付け、この蒸気処理部３は、下面に蒸気吸引部４を設けるとともに内部に吸引ファン５と内部流路６とを設け、前面に内部流路６と連接した排気口７を設け、排気口７から排出する蒸気を斜め下方に排出するよう構成したので、蒸気処理部３の排気口７から排出される蒸気を斜め下方に排出することができて、排気口７近傍にガスコンロが設置されている場合でも、ガスココンロに直接風が当たらないようにでき、ガスコンロの火に影響がないようにすることができる。
【００２８】
また、排気口７に、風向調整用の可動式ルーバー８を設けたので、収納庫１の設置高さがガスコンロより高くなった場合においても、可動式ルーバー８を調整することにより風向きを変えることができ、ガスコンロに直接風が当たらないようにすることができる。
【００２９】
また、排気口７の開口部は、仕切りリブを有さない一つの空間により構成したので、手入れの困難な格子状のリブを設けていないため、手入れ性を向上することができる。
【００３０】
また、内部流路６は、排気口７付近で上下方向にクランク状に屈曲し、正面から開口部を臨んだときでも内部流路６が見えない構成を有するので、排気口７からの排気方向を容易に斜め下方に矯正することができるとともに、内部構造物を隠すことができるため、外観品位を高めることができる。
【産業上の利用可能性】
【００３１】
以上のように、本発明にかかる家庭電気製品収納庫は、蒸気処理部の排気口から排出される蒸気を斜め下方に排出することができて、排気口近傍にガスコンロが設置されている場合でも、ガスココンロに直接風が当たらないようにでき、ガスコンロの火に影響がないようにすることができるので、蒸気処理機能を有する家庭電気製品収納庫として有用である。
【図面の簡単な説明】
【００３２】
【図１】本発明の一実施の形態における家庭電気製品収納庫の断面図
【図２】（ａ）同家庭電気製品収納庫の蒸気を斜め下方に排出する状態の要部拡大断面図（ｂ）同家庭電気製品収納庫の蒸気の排出方向を変えた状態の要部拡大断面図
【図３】同家庭電気製品収納庫の要部拡大正面図
【符号の説明】
【００３３】
１  収納庫
３  蒸気処理部
４  蒸気吸引部
５  吸引ファン
６  内部流路
７  排気口
９  家庭電気製品
１０  収納部
【図１】
0004779654.tif 000002
【図２】
0004779654.tif 000003
【図３】
0004779654.tif 000004